(57)【要約】【課題】屋根に対して確実に固定できしかも施工を簡単なベルトコンベヤ式の雪下ろし装置を提供することにある。【解決手段】屋根に積もった雪を回転するベルトによって屋根から除雪する雪下ろし装置において、屋根に取り付けられる支持枠１０と、支持枠１０に回転自在に支持される上下一対のローラ２１，２２と、ローラ間に掛け回される無端状のベルト３０と、支持枠１０を屋根に固定するために屋根に設けられた貫通孔１２１に直立状態で固定された固定ボルト４０と、ローラ間の間隔を調整するローラ位置調製機構５０と、ベルトに張力を付与する張力調整機構６０とを備えていることを特徴とする。【選択図】図１
0003115231.tif 000002
【実用新案登録請求の範囲】
【請求項１】
屋根に積もった雪を回転するベルトによって屋根から除雪する雪下ろし装置において、
屋根に取り付けられる支持枠と、
該支持枠に回転自在に支持される上下一対のローラと、
ローラ間に掛け回される無端状のベルトと、
支持枠を屋根に固定するために屋根に設けられた貫通孔に直立状態で固定された固定ボルトと、
ローラ間の間隔を調整するローラ位置調製機構と、
ベルトに張力を付与する張力調整機構とを備えていることを特徴とする雪下ろし装置。
【請求項２】
少なくとも一方のローラを駆動する駆動力伝達部材を備えたことを特徴とする請求項１に記載の雪下ろし装置。
【請求項３】
ローラは屋根の軒先側に設けられる下部ローラと屋根の上部に設けられる上部ローラとを有し、下部ローラは上部ローラよりも大径で、屋根の軒先の雨樋よりも外側に配置され、雨樋を覆っていることを特徴とする請求項１または２に記載の雪下ろし装置。
【請求項４】
ローラは、支持枠に転がり軸受を介して回転自在に支持されるローラ軸と、ローラ軸に固定されるローラ本体と、を備え、ローラ本体表面には、すべり止め用の突起あるいは溝のすべり止めパターンが設けられている請求項１乃至３のいずれかの項に記載の雪下ろし装置。
【請求項５】
すべり止めパターンは、搬送方向の中心線に対して左右両端側に向けて徐々に回転方
向後方に傾斜する突起あるいは溝による傾斜線を回転方向に所定間隔で全周的に配置し
たもので、図示例では中心線に対して左右対称に設けられている請求項４に記載の雪下
ろし装置。
【請求項６】
ローラ本体の両端にはフランジ状に張り出すアオリ部が設けられ、ベルトの左右の偏
りを規制する請求項４又は５に記載の雪下ろし装置。
【請求項７】
アオリ部とローラ本体の円筒面との境界部は円弧状のアール部となっている請求項６に記載の雪下ろし装置。
【請求項８】
ローラ本体は円筒状の中空構造で、ローラの軽量化と水抜きのために複数の穴が設け
られている請求項４乃至７のいずれかの項に記載の雪下ろし装置。
【請求項９】
固定ボルトの先端は尖っている請求項１に記載の雪下ろし装置。
【請求項１０】
固定ボルトと貫通孔の隙間はコーキング剤によって封止されている請求項１又は９に記載の雪下ろし装置。
【請求項１１】
ローラ位置調整機構は、ローラの位置を調整するようになっており、駆動ローラは支持枠に対して屋根の勾配と平行方向に前後に所定量移動可能に支持されている請求項１に記載の雪下ろし装置。
【請求項１２】
支持枠の軒先側の端部にはスライドガイドが固定され、このスライドガイドに下部ロ
ーラのローラ軸の軸端を支持する軸受が屋根の勾配と平行方向にスライド自在に組み付
けられ、スライドガイドには、駆動ローラの軸端の前後位置を調整する位置調整ねじが
設けられている請求項１１に記載の雪下ろし装置。
【請求項１３】
張力調整機構は、ベルトの搬送終了後のベルトの下面側に食い込むテンション部材を備えた構造となっている請求項１に記載の雪下ろし装置。
【請求項１４】
テンション部材は下部ローラの近傍に配置され、ベルトの軒先の雨樋または軒先の先端との干渉を避ける構造となっている請求項１３に記載の雪下ろし装置。
【請求項１５】
テンション部材はローラで、ローラ軸の軸端部が支持枠に固定された調整板に設けられた長穴を介して止めねじによって固定される請求項１４に記載の雪下ろし装置。
【請求項１６】
ベルトの左右側縁には、ベルトの搬送面と戻り面間およびベルトの戻り面と屋根との
間の空間を塞ぎ、雪や風が入り込むのを防ぐ側板が設けられている請求項１乃至１５のいずれかの項に記載の雪下ろし装置。
【請求項１７】
ベルトの表面に付着した雪を掻き取る雪掻き部材が設けられている請求項１乃至１６のいずれかの項に記載の雪下ろし装置。
【請求項１８】
ベルトの搬送面と戻り面の間には、搬送面に積もった雪荷重を支える支え部材が配置されている請求項１乃至１７のいずれかの項に記載の雪下ろし装置。
【請求項１９】
雪下ろし装置に隣接して屋根に作業通路スペースを設けることを特徴とする請求項１に記載の雪下ろし装置。
【請求項２０】
雪下ろし装置が作業通路スペースを隔てて屋根の複数箇所に設置されることを特徴とする請求項１９に記載の雪下ろし装置。
【請求項２１】
駆動ローラの動力伝達部材が電動モータに連結され、電動で駆動することを特徴とする請求項２に記載の雪下ろし装置。
【請求項２２】
駆動ローラの動力伝達部材が人手による操作部と連結され、人手によって駆動されることを特徴とする請求項２に記載の雪下ろし装置。
【請求項２３】
ベルトの回転を規制するストッパ機構を備えていることを特徴とする請求項２１に記載の雪下ろし装置。
【考案の詳細な説明】
【技術分野】
【０００１】
本考案は、屋根の雪下ろし装置に関し、特にベルトコンベヤ式の雪下ろし装置に関するものである。
【背景技術】
【０００２】
雪国では、屋根の雪下ろし作業には多大な労力がかかるばかりか、作業中の落下事故が絶えず、危険な作業を余儀なくされている。このような苛酷で危険な作業から解放するた
めに、従来から種々の除雪装置が提案されている。そのなかで、ベルトコンベヤ式のものとして、たとえば、特許文献１等の種々の装置が提案されている。
しかしながら、これらの雪下ろし装置は屋根に確実に固定する必要があるが、実際の施工について考慮されておらず、施工することができない。
【特許文献１】特開平１０−１４０８７７号公報
【考案の開示】
【考案が解決しようとする課題】
【０００３】
本考案の目的は、屋根に対して確実に固定できしかも施工を簡単なベルトコンベヤ式の雪下ろし装置を提供することにある。
【課題を解決するための手段】
【０００４】
本請求項１に係る考案は、屋根に積もった雪を回転するベルトによって屋根から除雪する雪下ろし装置において、屋根に取り付けられる支持枠と、支持枠に回転自在に支持される上下一対のローラと、ローラ間に掛け回される無端状のベルトと、支持枠を屋根に固定するために屋根に設けられた貫通孔に直立状態で固定された固定ボルトと、ローラ間の間隔を調整するローラ位置調製機構と、ベルトに張力を付与する張力調整機構とを備えていることを特徴とする。
請求項２に係る考案は、少なくとも一方のローラを駆動する駆動力伝達部材を備えたことを特徴とする。
【０００５】
請求項３に係る考案は、ローラは屋根の軒先側に設けられる下部ローラと屋根の上部に設けられる上部ローラとを有し、下部ローラは上部ローラよりも大径で、屋根の軒先の雨樋よりも外側に配置され、雨樋を覆っていることを特徴とする。
請求項４に係る考案は、ローラは、支持枠に転がり軸受を介して回転自在に支持されるローラ軸と、ローラ軸に固定されるローラ本体と、を備え、ローラ本体表面には、すべり止め用の突起あるいは溝のすべり止めパターンが設けられていることを特徴とする。
【０００６】
請求項５に係る考案は、すべり止めパターンは、搬送方向の中心線に対して左右両端側に向けて徐々に回転方向後方に傾斜する突起あるいは溝による傾斜線を回転方向に所定間隔で全周的に配置したもので、図示例では中心線に対して左右対称に設けられていることを特徴とする。
【０００７】
請求項６に係る考案は、ローラ本体の両端にはフランジ状に張り出すアオリ部が設けられ、ベルトの左右の偏りを規制する。
請求項７に係る考案は、アオリ部とローラ本体の円筒面との境界部は円弧状のアール部となっている。
【０００８】
請求項８に係る考案は、ローラ本体は円筒状の中空構造で、ローラの軽量化と水抜きのために複数の穴が設けられていることを特徴とする。
請求項９に係る考案は、固定ボルトの先端は尖っている。
請求項１０に係る考案は、固定ボルトと貫通孔の隙間はコーキング剤によって封止されている。
【０００９】
請求項１１に係る考案は、ローラ位置調整機構は、ローラの位置を調整するようになっており、駆動ローラは支持枠に対して屋根の勾配と平行方向に前後に所定量移動可能に支持されている。
請求項１２に係る考案は、支持枠の軒先側の端部にはスライドガイドが固定され、このスライドガイドに下部ローラのローラ軸の軸端を支持する軸受が屋根の勾配と平行方向にスライド自在に組み付けられ、スライドガイドには、駆動ローラの軸端の前後位置を調整する位置調整ねじが設けられていることを特徴とする。
【００１０】
請求項１３に係る考案は、張力調整機構は、ベルトの搬送終了後のベルトの下面側に食い込むテンション部材を備えた構造となっている。
請求項１４に係る考案は、テンション部材は下部ローラの近傍に配置され、ベルトの軒先の雨樋または軒先の先端との干渉を避ける構造となっている。
【００１１】
請求項１５に係る考案は、テンション部材はローラで、ローラ軸の軸端部が支持枠に固定された調整板に設けられた長穴を介して止めねじによって固定される。
請求項１６に係る考案は、ベルトの左右側縁には、ベルトの搬送面と戻り面間およびベルトの戻り面と屋根との間の空間を塞ぎ、雪や風が入り込むのを防ぐ側板が設けられている。
【００１２】
請求項１７に係る考案は、ベルトの表面に付着した雪を掻き取る雪掻き部材が設けられている。
請求項１８に係る考案は、ベルトの搬送面と戻り面の間には、搬送面に積もった雪荷重を支える支え部材が配置されている。
請求項１９に係る考案は、雪下ろし装置に隣接して屋根に作業通路スペースを設けることを特徴とする。
【００１３】
請求項２０に係る考案は、雪下ろし装置が作業通路スペースを隔てて屋根の複数箇所に設置されることを特徴とする。
請求項２１に係る考案は、駆動ローラの動力伝達部材が電動モータに連結され、電動で駆動することを特徴とする。
請求項２２に係る考案は、駆動ローラの動力伝達部材が人手による操作部と連結され、人手によって駆動されることを特徴とする。
請求項２３に係る考案は、ベルトの回転を規制するストッパ機構を備えていることを特徴とする。
【考案の効果】
【００１４】
本考案の雪下ろし装置は、屋根の瓦等の屋根材側から屋根裏まで貫通穴を開けてボルトを立てて一体化しておき、このボルトに利用して支持枠を屋根に対して固定する。ボルトに対して支持枠を固定していくので、施工作業が容易で、かつ、装置を屋根と一体的に固定することができる。アンカー部材と屋根の穴との隙間はコーキング剤によって密封処理する。
また、ベルトの長さや支持枠の寸法等にばらつきがあっても、ローラにベルトを巻き掛
けた後にローラ間隔調整機構によって、ばらつきを吸収することができる。
さらに、張力調整機構によってベルトに対して適切な張力を付与する構成となっているので、ベルトの弛みを無くしてベルトの下面側と瓦等の屋根材との接触が防止され、擦過によるベルトの破損などを防止できる。
【００１５】
これらローラ間隔調整機構および張力調整機構を屋根の軒先側に集中させることにより、不安定な屋根の上でかがんで作業しなくても、はしご等に立った状態でベルトの裏側から作業できるので、調整作業が容易にできる。
さらに、軒先側のローラに駆動力を伝達するようにすれば、モータによる駆動、人手による駆動にかかわらず、地上側から駆動することができる。
【考案を実施するための最良の形態】
【００１６】
図１は、本考案の実施の形態に係る雪下ろし装置の概略構成図である。
この雪下ろし装置は、支持枠１０と、支持枠１０に回転自在に支持される上下一対の下部ローラ２１および上部ローラ２２と、ローラ２１，２２間に掛け回された無端状のベルト３０と、支持枠１０を屋根に固定するための固定ボルト４０と、ローラ２１，２２間の間隔を調整するローラ位置調製機構５０と、ベルト３０に張力を付与する張力調整機構６０と、を備えている。
支持枠１０は、図２に示すように、屋根１００の頂部側から軒先に向けて直線状に延びる左右一対の縦枠１１，１１と、縦枠１１，１１と直交する方向に延びる上下の横枠１３，１３とを四角形状に組み付けた構成で、上下の横枠１３，１３間に縦方向に延びる複数の補強材１２が掛け渡されている。支持枠１０の材料としては、耐食性の高い材料、たとえばステンレス材が用いられる。
【００１７】
下部ローラ２１は上部ローラ２２よりも大径で、屋根１００の軒先の雨樋１１０よりも外側に配置され、歯車，ベルト伝動用のプーリ，チェーン伝動用のスプロケット等の動力伝達部材２４が設けられた駆動側のローラとなっている。もっとも、上部ローラ駆動用のローラとしてもよい。下部ローラ２１と上部ローラ２２の両ローラの上面円弧に接する接線は屋根１００の上面と平行となるように配置され、下部ローラ２１の下端は雨樋１１０の上端よりも低い位置にあり、雨樋１１０を覆っている。
下部ローラ２１と上部ローラ２２の構造は、径が異なるだけで基本的に同一構造である。すなわち、支持枠１０に軸受２３を介して回転自在に支持されるローラ軸２０１と、ローラ軸２０１に固定されるローラ本体２０２と、を備え、ローラ本体２０２にベルト３０が巻きかけられる。軸受２３にはボールベアリング等の転がり軸受が用いられる。
転がり軸受としては、防塵，防水タイプのものが用いられる。下部ローラ２１について
は、ローラ軸２０１に動力伝達部材２４が取り付けられている。
【００１８】
ローラ本体２０２は、軽量化を図るために円筒状の中空構造となっており、左右の端板部２０３を介してローラ軸２０１に固定される。
このローラ本体２０２表面には、図３に示すように、すべり止め用の突起あるいは溝のすべり止めパターン２０４を設けることが好適である。このすべり止めパターン２０４は、搬送方向の中心線に対して左右両端側に向けて徐々に回転方向後方に傾斜する突起あるいは溝による傾斜線２０５を回転方向に所定間隔で全周的に配置したもので、図示例では中心線Ｎに対して左右対称に設けられている。傾斜線２０５は直線に限らず、曲線構成としてもよい。
【００１９】
ベルト３０は雪の重みで中央にくぼむ方向にたるみ勝ちとなるが、このようなすべり止めパターン２０４を設けることにより、すべり止めだけでなく、搬送時にベルト３０に対して左右に引っ張る方向の力が作用し、左右に張りを持った状態で搬送することができる。
また、ローラ本体２０２の両端にフランジ状に張り出すアオリ部２０６が設けられ、ベルト３０の左右の偏りを規制するようになっている。このアオリ部２０６とローラ本体２０２の円筒面との境界部は円弧状のアール部２０７となっており、ベルト３０が左右にずれてきた際に中央に戻す方向に案内するようになっている。アール部２０７は正規のベルト３０の側辺位置に隣接して設けられる。したがって、ベルト３０の左右のずれが大きくなるほどアール部２０７の傾きが大きくなって中央へ押し戻されることになる。さらに、ローラ本体２０２には、ローラの軽量化と水抜きのために、複数の穴２０８を設けておくことが好ましい。
ベルト３０は、所定幅の無端状の可撓性材料から構成されるもので、雪の重みに十分
耐えられるように引っ張りに対して伸びが小さく、低温下でも柔軟性を損なわない素材
が選択される。
【００２０】
固定ボルト４０は、屋根１００に直立状態で固定されるもので、屋根１００に貫通孔１２１を設け、貫通孔１２１に屋根１００の裏面側からボルト軸４１を通し、ボルト頭部４２とボルト軸４１に螺合される屋根固定ナット４３によって屋根１００を締め付け、固定ボルト４０を屋根１００に強固に固定する。屋根１００に開ける貫通孔１２１、屋根表面の瓦等の屋根材から屋根裏まで貫通させるもので、屋根の断面全体を貫通する構造である。ボルト軸４１と貫通孔１２１との隙間には、図１（Ｂ）に示すように、コーキング剤４６を詰めて封止し、さらに屋根１００に固定した屋根固定ナット４３を覆うようにコーキング剤４７を盛り上げ、ボルトキャップ４８を被せてシールを確実にする。
【００２１】
このように屋根１００に固定されたボルト軸４１を利用して支持枠１０を固定する。支持枠１０の固定は、縦枠１１および横枠１３の適宜箇所にボルト軸４１が挿し通される複数の取付孔を設け、ボルト軸４１の所定高さに螺合される上下の枠固定ナット４４，４５によって縦枠１１や横枠１３を上下から挟んで締め付け固定する。これにより、支持枠１０は屋根と一体的な構造となる。
ローラ位置調整機構５０は、この実施の形態では下部ローラ２１の位置を調整するようになっている。すなわち、下部ローラ２１は、支持枠１０に対して、屋根の勾配と平行方向に前後に所定量移動可能に支持されている。すなわち、縦枠１１の軒先側の端部にはスライドガイド５１が固定され、このスライドガイド５１に下部ローラ２１のローラ軸２０１の軸端を支持する軸受２３が屋根の勾配と平行方向にスライド自在に組み付けられている。軸受２３は、不図示の軸受ホルダに保持されてスライドガイド５１に移動自在に支持されている。
【００２２】
そして、スライドガイド５１には、下部ローラ２１の軸端の前後位置を調整する位置調整ねじ５２が設けられている。位置調整ねじ５２による調整機構は、種々の方式が採用可能である。
たとえば、図４（Ａ）に示すように、位置調整ねじ５２を、縦枠１１に固定されたスライドガイド５１の上部ローラ側の端板部５１１に螺合させ、先端を下部ローラ２１の軸端の軸受あるいは軸受ホルダ等の可動部５３に当接する構成とする。下部ローラ２１には、ベルト３０の張力によって上部ローラ２２に近づく方向（ローラ間隔を狭める方向）の力が作用しているので、下部ローラ２１の軸端の可動部５３は位置調整ねじ５２の先端に突き当たって位置決めされており、位置調整ねじ５２を締め込むことによって位置調整ねじ５２の先端によって下部ローラ２１の軸端を上部ローラ２２から離れる方向に移動させ、位置調整ねじ５２を緩めることによって下部ローラ２１の軸端を上部ローラ２２に近づく方向に移動させることができる。
【００２３】
また、図４に示すように、位置調整ねじ５２を、スライドガイド５１に対して軸方向には移動不能で回転方向に回転自在に支持し、ねじ軸５２に下部ローラ２１の軸端の可動部５３に螺合する構成としておいてもよい。このようにすれば、位置調整ねじ５２を回転することによって、ねじ軸５２１に螺合する可動部５３が前後に移動することになる。
もっとも、このような構成に限定されるものではなく、位置調整ねじ５２をスライドガイド５１の先端側（反上部ローラ側）の端面からねじ込み、可動部５３に螺合する構成としてもよく、種々の構成を採用することが可能である。
【００２４】
張力調整機構６０は、図４（Ｃ）に示すように、ベルト３０の上面に位置する搬送面３１ではなく、搬送終了後のベルト戻り面３２、すなわち無端状のベルト３０の下面側に食い込むテンション部材としてのテンションローラ６１と、テンションローラ６１の軸端を上下方向に位置調整可能に固定する調整板６２とを備えた構造となっている。図示例では、大径の下部ローラ２１の近傍に配置されている。このテンションローラ６１によってテンションを付与すると同時に、ベルト３０と雨樋１１０または軒先の先端との干渉を避ける構造となっている。
テンションローラ６１は小径のローラで、ローラ軸の軸端面が調整板６１に設けられた長穴６２１を介して止めねじ６３によって固定されている。調整板６２はローラ軸の軸端面の延長面上に位置する上下方向に延びる板材で、上端が支持枠１０の縦枠１１に固定されている。テンションローラ６１は、たとえば、調整板６２に固定されるローラ軸に対してローラ本体が回転自在としておけばよい。
この張力調整機構６０についても、図４（Ｃ）の構成に限定されるものではなく、たとえば、図４（Ｄ）に示すように、ボルト６４によって、テンションローラ軸６１を支持する可動部６３を上下方向に移動させるようにしてもよく、その他種々の構成を採用することができる。
【００２５】
また、図１，図２，図５（Ａ）に示すように、ベルト３０の左右側縁には、側壁７０が設けられている。側壁７０はベルト３０の搬送面３１と戻り面３２間およびベルト３０の戻り面３２と屋根との間の空間を塞ぎ、雪や風が入り込むのを防ぐ働きをする。
さらに、図５（Ａ）に示すように、ベルト３０の表面に付着した雪を掻き取る雪掻き部材８０が設けられる。雪掻き部材８０の位置は、搬送面３１の搬送方向終端部、すなわち下部ローラ２１によってベルト３０が下方に方向転換する部分に設けることが効果的である。もっとも、方向転換した後のベルト３０の戻り面３２に当接させてもよい。戻り面３２に当接させた場合には、ベルトのたるみ防止を図ることもできる。この雪掻き部材８０はスクレーパ形状でもよいし、棒状のものでもよく、形状は限定されない。
【００２６】
また、ベルト３０の搬送面３１と戻り面３２の間には、搬送面３１に積もった雪荷重を支える支え部材を配置することが好ましい。支え部材としては、ベルト３０が損傷しないように、当接面が丸くなっていることが好ましく、たとえば、図５（Ｂ），（Ｃ）に示すような丸棒９１やポリカーボネート製の波板９２が好適である。このような丸棒９１や波板９２は支持枠１０に固定する。
【００２７】
また、積雪センサによって積雪量を検出するためのセンサ台９５を設けてもよい（図１参照）。図示例では支持枠１０の先端部に配置した例を示している。センサ台９５は、ベルト３０の搬送方向には短く、ベルト３０の横幅一杯の台板で、このセンサ台３０上に積もった積雪量を検出するようになっている。積雪センサとしては、特に図示しないが、たとえば、重さを検出するもの、赤外線を利用するもの、温度を検出するもの等、公知の種々のセンサが利用可能である。重さを検出する場合、重量センサ等の検出素子を用いてもよいし、検出台上の雪が所定の量に達すると重みで倒れてスイッチが入り、雪が落下した検出台が再び起きあがるような機械的な構成としてもよい。
積雪量が所定量に達すると、電動の場合には、自動的にモータが回転してベルト３０を駆動し、ベルト３０上に積もった雪を軒まで運んで軒下に落とす。また、ベルト３０が回転している間は、雪下ろし作業中であることを警告ランプ等によって表示するようにすればよい。この電動の場合、センサからの信号で必ずしも自動的に動作させず、手動のスイッチで動作させることもできる。手動と自動を切り換えるようにすることもできる。
【００２８】
また、ベルト３０を手動で駆動する場合には、積雪センサからの信号によって、警告ランプや警告ブザー等の信号を表示することが好適である。
センサ台９５を支持枠１０の先端部に配置した場合、センサ台９５に積もった雪は、ベルトで搬送されてきた雪によって押し出され、雪下ろしした雪についてもセンサ台９５上を滑りおちるため、センサ台に残る量は少なく、誤作動はしない。もちろん、センサ台９５の位置としては、特に支持枠の先端部に限定するものではなく、ベルトの側方に配置してもよい。また、センサ台を特に配置しないで、ベルト上の雪そのものを検出するようにしてもよい。さらに、屋根の上でなく、庭先等の地上に配置してもよい。地上に配置した場合には家人がチェックすることが可能である。
【００２９】
上記した雪下ろし装置は、屋根１００全面を覆うのではなく、図５（Ｄ）に示すように、雪下ろし装置に隣接して屋根１００に作業通路スペース１３０を確保する。屋根が広い場合には、作業通路スペース１３０を隔てて複数箇所に設置する。作業通路スペース１３０がないと、設置が困難であるし、設置したとしてもメンテナンスが容易でない。ベルト３０は苛酷な条件にさらされるので劣化は避けられず、メンテナンス性は重要な要素である。
この雪下ろし装置は、電動と手動の両方に対応可能である。
電動の場合には、たとえば、下部ローラを駆動する場合には、地上に配置したモータの原動軸に固定されたプーリ，チェーンスプロケットにベルトやチェーン等を巻き掛け、モータによって駆動することができる。複数箇所に設置した雪下ろし装置１は、たとえば、地上に配置した一つの原動軸に対応する動力伝達部材を固定することにより、一つのモータによって同期して駆動することができる。もっとも、個々の雪下ろし装置を独立して駆動するようにしてもよい。
【００３０】
人手の場合には、たとえば、滑車式にして下部ローラを回転させるようにしてもよいし、レバーあるいはハンドル等の操作部と、下部ローラの動力伝達部材を作動連結させて回転させることができる。
また、電動の場合、上部ローラを駆動するようにしてもよい。この場合、モータは屋根に配置することになるが、動力損失が少なく効率よく駆動することができる。
なお、使用しない時には、回転しないようにストッパ機構を設けておくことが好ましい。ストッパ機構としては、電動モータの場合にはモータを停止していることによって、モータ自体がストッパ機構とすることもできるし、自動運転させている場合、センサをはたらかなくしておいてもよい。
本発明の雪下ろし装置の支持枠の固定ボルト４０について、図５（Ｅ）に示すように固定ボルト４０のボルト軸４１先端を尖らせておけば、地震や台風等の災害で屋根が損傷してシート１４０を被せる場合のシート固定に利用することができる。すなわち、固定ボルト４０にシート１４０を刺し込み、ナット４９で締め付ければ、シートを簡単にかつ強固に固定することができ、強風下でとばされることがない。
【図面の簡単な説明】
【００３１】
【図１】図１（Ａ）は本考案の実施の形態に係る雪下ろし装置の一部を省略して示す概略側面図、同図（Ｂ）は同図（Ａ）の固定ボルトの屋根固定部の概略拡大断面図である。
【図２】図２は図１の雪下ろし装置の一部を省略して示す概略平面図である。
【図３】図３は図１の雪下ろし装置に用いるベルト巻き掛け用のローラを示すもので、同図（Ａ）は正面図、同図（Ｂ）はアール部の拡大図である。
【図４】図４（Ａ），（Ｂ）は図１の装置のローラ位置調整機構の構成例を示す図、図４（Ｃ），（Ｄ）は図１の装置の張力付与機構の構成例を示す図である。
【図５】図５（Ａ）は図１の装置を単純化した概略側面図、同図（Ｂ），（Ｃ）はベルトに作用する荷重を支持する支え部材の構成例を示す図、同図（Ｄ）は図１の装置の屋根への配置例を示す図、同図（Ｅ）は先端を尖らせた固定ボルトの先端部を示す図である。
【符号の説明】
【００３２】
１０   支持枠
１１  縦枠、１２  補強材、１３  横枠
２０  ローラ
２０１  ローラ軸、２０２  ローラ本体、２０３  端板部、
２０４  滑り止めパターン
２０５  傾斜線
２０６  アオリ部、２０７  アール部
２０８  穴
Ｎ  中心線
２１  下部ローラ
２２  上部ローラ
２３  軸受
２４  動力伝達部材
３０  ベルト
３１  搬送面、３２  戻り面
４０  固定ボルト
４１  ボルト軸、４２  ボルト頭部、４３  屋根固定ナット、
４４，４５  枠固定ナット
４６  コーキング剤、４７  コーキング剤、４８  ボルトキャップ
５０  ローラ位置調整機構
５１  スライドガイド、５１１  端板部
５２  位置調整ねじ、５２１  ねじ軸
５３  可動部
６０  張力調整機構
６１  テンションローラ、６２  調整板、６２１  長穴
６３  止めねじ
７０  側壁
８０  雪掻き部材
９１  丸棒、９２  波板、９５  センサ台
１００  屋根、１１０  雨樋、１２０  屋根板
１２１  貫通孔、
１３０  作業通路
【図１】
0003115231.tif 000003
【図２】
0003115231.tif 000004
【図３】
0003115231.tif 000005
【図４】
0003115231.tif 000006
【図５】
0003115231.tif 000007
【手続補正書】
【提出日】平成17年5月2日(2005.5.2)
【手続補正１】
【補正対象書類名】図面
【補正対象項目名】図４
【補正方法】変更
【補正の内容】
【図４】
0003115231.tif 000008